(57)【要約】      （修正有）【課題】筐体内の部品や内壁面に対して汚れの付着を防止することができる空気調和機を提供する。【解決手段】空気調和機は、フィルタ３５と熱交換器１４の間に配置されて、導電性の平滑面７５でフィルタ３５に向き合わせられ、平滑面７５に穿たれて流通方向に貫通する複数の開口を有するグラウンド電極７６と、吸込口３３とフィルタ３５の間に配置され、フィルタ３５に気流を向かせる風向板７７と、風向板７７で方向づけされた気流内に点在し、平滑面７５に向き合わせられて電圧の印加に応じて平滑面７５に向かって放電する複数の針電極７８とを備える。【選択図】図６
2017125651.tif 000002
【特許請求の範囲】
【請求項１】
吸込口および吹出口を有する筐体と、
前記筐体に収容されて、前記吸込口と前記吹出口の間に配置される熱交換器と、
前記筐体に収容されて、前記熱交換器と前記吹出口の間に配置されるファンと、
前記吸込口と前記熱交換器の間に配置される誘電体からなるフィルタと、
前記フィルタと前記熱交換器の間に配置されて、導電性の平滑面で前記フィルタに向き合わせられ、前記平滑面に穿たれて前記流通方向に貫通する複数の開口を有するグラウンド電極と、
前記吸込口と前記フィルタの間に配置され、前記平滑面に向き合わせられて電圧の印加に応じて前記平滑面に向かって放電する複数の針電極と、
を備えることを特徴とする空気調和機。
【請求項２】
請求項１に記載の空気調和機において、前記針電極は、前記平滑面に向き合わせられる平坦な下流側端面と、前記下流側端面から前記平滑面に向かって突き出て頂点に向かって先細る山形片とを有する金属板から形成されることを特徴とする空気調和機。
【請求項３】
請求項２に記載の空気調和機において、前記針電極は、前記フィルタを保持する保持ユニットに組み込まれて前記筐体内に収容されることを特徴とする空気調和機。
【発明の詳細な説明】
【技術分野】
【０００１】
本発明は空気調和機に関する。
【背景技術】
【０００２】
特許文献１に開示されるように、電気集塵装置は一般に知られる。電気集塵装置は帯電電極を備える。帯電電極は線電極および平面電極で構成される。線電極から平面電極に向かって放電が実施される。気流は平面電極同士の間で放電に曝される。こうして気流中の粉塵は帯電する。帯電微粒子（帯電電極の放電で帯電した微粒子）は反発電極で跳ね返されて集塵電極に付着する。こうして集塵効率は高められる。
【先行技術文献】
【特許文献】
【０００３】
【特許文献１】実開昭６２−７５８４６号公報
【発明の概要】
【発明が解決しようとする課題】
【０００４】
特許文献１では集塵電極および反発電極は繊維フィルタおよび導電性コーティングの積層体で構成される。気流は繊維フィルタに直交する方向から直線経路に沿って流入する。直線経路中に気流に平行に平面電極が並べられる。図示されないものの、直線経路の上流端には吸込口が区画されると考えられる。吸込口と積層体とは直線経路で結ばれることから、どの位置に平面電極が設置されても、気流は確実に放電に曝されることができる。
【０００５】
その一方で、空気調和機では、ファンが作動すると、吸込口から筐体内に空気が流れ込む。筐体内から吹出口に向かって空気は吹き出される。空気はフィルタの全域を満遍なく通過する。したがって、流通する空気全体の微粒子を帯電させることができれば、フィルタは全域で効率的に帯電微粒子を捕獲することができる。しかしながら、こうして帯電微粒子が筐体内に充満すると、筐体内の部品や内壁面に帯電微粒子が付着し、汚れの原因となることが懸念される。
【０００６】
本発明は、筐体内の部品や内壁面への汚れの付着を防止することができる空気調和機を提供することを目的とする。
【課題を解決するための手段】
【０００７】
本発明の一形態は、吸込口および吹出口を有する筐体と、前記筐体に収容されて、前記吸込口と前記吹出口の間に配置される熱交換器と、前記筐体に収容されて、前記熱交換器と前記吹出口の間に配置されるファンと、前記吸込口と前記熱交換器の間に配置される誘電体からなるフィルタと、前記フィルタと前記熱交換器の間に配置されて、導電性の平滑面で前記フィルタに向き合わせられ、前記平滑面に穿たれて前記流通方向に貫通する複数の開口を有するグラウンド電極と、前記吸込口と前記フィルタの間に配置され、前記平滑面に向き合わせられて電圧の印加に応じて前記平滑面に向かって放電する複数の針電極とを備える空気調和機に関する。
【０００８】
ファンが作動すると、吸込口から筐体内に空気が流れ込む。針電極からグラウンド電極に向かって放電が実施されると、空気中の塵埃等の微粒子は特定の極性に帯電する。気流はフィルタを通過する。気流中の帯電微粒子（帯電した微粒子）はフィルタに付着する。このとき、針電極と一体化された風向板によって、帯電微粒子が気流によってフィルタに向かって方向づけられるようにしてもよい。帯電微粒子はフィルタ以外の範囲に散らばらないので、針電極およびグラウンド電極の上流で筐体内に帯電微粒子が充満することはない。筐体内の部品や内壁面に対して汚れの付着は防止されることができる。
【０００９】
前記針電極は、前記平滑面に向き合わせられる平坦な下流側端面と、前記下流側端面から前記平滑面に向かって突き出て頂点に向かって先細り、電極として機能する山形片とを有する金属板から形成されてもよい。針電極は金属板から打ち抜かれて形成されることができる。山形片の頂点から放電は実現される。
【００１０】
前記針電極は、前記フィルタを保持する保持ユニットに組み込まれて前記筐体内に収容されてもよい。こうして針電極は保持ユニットの１構成要素として取り扱われる。保持ユニットごと筐体に装着されたり筐体から取り外されたりする。空気調和機の組み立てにあたって作業性は向上する。
【発明の効果】
【００１１】
以上のように、筐体内の部品や内壁面に対して汚れの付着を防止することができる空気調和機は提供される。
【図面の簡単な説明】
【００１２】
【図１】本発明の一実施形態に係る空気調和機の構成を概略的に示す概念図である。
【図２】一実施形態に係る室内機の外観を概略的に示す斜視図である。
【図３】室内機の本体の構成を概略的に示す斜視図である。
【図４】室内機の構造を概略的に示す分解斜視図である。
【図５】エアフィルタの構造を概略的に示す拡大斜視図である。
【図６】室内機の本体の拡大垂直断面図である。
【図７】グラウンド電極の構造を概略的に示す拡大斜視図である。
【図８】針電極の構造を概略的に示す拡大斜視図である。
【発明を実施するための形態】
【００１３】
以下、添付図面を参照しつつ本発明の一実施形態を説明する。
【００１４】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１５】
冷凍回路１９は第１循環経路２１を備える。第１循環経路２１は四方弁１８の第１口１８ａおよび第２口１８ｂを相互に結ぶ。第１循環経路２１には、圧縮機１５が設けられている。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１６】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーを交換する。室内熱交換器１４は、通過する冷媒と周囲の空気との間で熱エネルギーを交換する。第２循環経路２２は例えば銅管などの冷媒配管で形成されればよい。
【００１７】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の回転数に応じて調整される。
【００１８】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００１９】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２０】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
（２）室内機の構成
図２は一実施形態に係る室内機１２の外観を概略的に示す。室内機１２の本体（筐体）２６にはアウターパネル２７が覆い被さる。本体２６の下面には吹出口２８が形成される。こうして本体２６は吹出口２８を有する。吹出口２８は室内に向けて開口する。本体２６は例えば室内の壁面に固定されることができる。室内熱交換器１４で冷気または暖気が生成され、冷気または暖気の気流は吹出口２８から吹き出す。
【００２１】
吹出口２８には前後１対の上下風向板３１ａ、３１ｂが配置される。上下風向板３１ａ、３１ｂはそれぞれ本体の長手方向と平行な水平軸線３２ａ、３２ｂ回りに回転することができる。回転に応じて上下風向板３１ａ、３１ｂは吹出口２８を開閉する。上下風向板３１ａ、３１ｂの角度に応じて、吹き出される気流の方向は変えられる。
【００２２】
図３に示されるように、本体２６には吸込口３３が形成される。吸込口３３は本体２６の正面および上面で開口する。こうして本体２６は吸込口３３を有する。アウターパネル２７は本体２６の正面で吸込口３３に覆い被さることができる。室内の空気は吸込口３３から本体２６内に取り込まれ、室内熱交換器１４に向けて供給される。このように、室内熱交換器１４は、本体２６に収容されて、吸込口３３および吹出口２８の間に配置される。
【００２３】
吸込口３３には水平軸線３２ａ、３２ｂに平行な方向にエアフィルタアセンブリ３４が並べられる。エアフィルタアセンブリ３４はエアフィルタ３５およびダストボックス３６を備える。エアフィルタ３５はダストボックス３６に保持される。ダストボックス３６は本体２６に着脱自在に取り付けられる。ダストボックス３６が本体２６にセットされると、エアフィルタ３５は吸込口３３の全面にわたって配置される。こうしてエアフィルタ３５は本体２６内で吸込口３３および室内熱交換器１４の間に配置される。
【００２４】
ダストボックス３６には前側のフィルタレール３８が形成される。本体２６には前側のフィルタレール３８の延長線上に対応して後側のフィルタレール３９が形成される。フィルタレール３８、３９は水平軸線３２ａ、３２ｂに直交する垂直面に沿って延びる。エアフィルタ３５の左右両端はスライド自在にフィルタレール３８、３９に保持される。フィルタレール３８、３９はエアフィルタ３５の前後移動を案内する。
【００２５】
図４に示されるように、本体２６には送風ファン２４が回転自在に支持される。送風ファン２４には例えばクロスフローファンが用いられる。送風ファン２４は水平軸線３２ａ、３２ｂに平行な回転軸４１回りで回転する。送風ファン２４の回転軸４１は本体２６の設置時の水平方向に延びる。送風ファン２４は吹出口２８に平行に配置される。送風ファン２４には駆動源（図示されず）から回転軸４１回りの駆動力が伝達される。駆動源は本体２６に支持される。送風ファン２４の回転に応じて気流は室内熱交換器１４を通過する。その結果、冷気または暖気の気流が生成される。冷気または暖気の気流は吹出口２８から吹き出される。このように、送風ファン２４は、本体２６に収容されて、室内熱交換器１４および吹出口２８の間に配置される。
【００２６】
室内熱交換器１４は前側体１４ａおよび後側体１４ｂを備える。前側体１４ａは送風ファン２４の前側から送風ファン２４に向き合わせられる。後側体１４ｂは送風ファン２４の後側から送風ファン２４に向き合わせられる。前側体１４ａおよび後側体１４ｂは上端で相互に連結される。前側体１４ａおよび後側体１４ｂは冷媒管４２ａを有する。すなわち、冷媒管４２ａは、水平軸線３２ａ、３２ｂに平行に延び、本体２６の正面視左右端で折り返され、再び水平軸線３２ａ、３２ｂに平行に延び、再び本体２６の正面視左右端で折り返され、これらが繰り返される。冷媒管４２ａは第２循環経路２２の一部を構成する。冷媒管４２ａには複数の放熱フィン４２ｂが結合される。放熱フィン４２ｂは水平軸線３２ａ、３２ｂに直交しつつ相互に平行に広がる。冷媒管４２ａおよび放熱フィン４２ｂは例えば銅やアルミニウムといった金属材料から形成されることができる。冷媒管４２ａおよび放熱フィン４２ｂを通じて冷媒と空気との間で熱交換が実現される。
【００２７】
図４に示されるように、エアフィルタアセンブリ３４はフィルタ清掃ユニット４３を備える。ダストボックス３６はフィルタ清掃ユニット４３の１構成要素を担う。ダストボックス３６は上ダストボックス４５および下ダストボックス４６を備える。上ダストボックス４５はエアフィルタ３５の前面側に配置される。上ダストボックス４５はカバー４７を有する。カバー４７はボックス本体４８の貯留空間４９を開閉する。下ダストボックス４６はエアフィルタ３５の後面側に配置される。上ダストボックス４５および下ダストボックス４６はエアフィルタ３５挟み込む。エアフィルタ３５の清掃時、概ねエアフィルタ３５の前面の塵埃は上ダストボックス４５のボックス本体４８に回収され、エアフィルタ３５の後面の塵埃は下ダストボックス４６に回収される。
【００２８】
フィルタ清掃ユニット４３は第１従動ギア５１および第２従動ギア５２を備える。第１従動ギア５１は上ダストボックス４５に支持される。第１従動ギア５１は水平軸５３回りで回転する。第１従動ギア５１の歯は上ダストボックス４５の外面から部分的に露出する。同様に、第２従動ギア５２は下ダストボックス４６に支持される。第２従動ギア５２は水平軸５４回りで回転する。第２従動ギア５２は、下ダストボックス４６の両端でエアフィルタ３５を駆動する。第２従動ギア５２の歯は下ダストボックス４６の外面から部分的に露出する。エアフィルタアセンブリ３４が本体２６にセットされると、第１従動ギア５１は本体２６に搭載の第１駆動ギア（図示されず）に噛み合い、同様に第２従動ギア５２は本体２６に搭載の第２駆動ギア（図示されず）に噛み合う。個々の駆動ギアには個別に電動モータといった駆動源（図示されず）が連結される。個々の駆動源から供給される駆動力に応じて第１従動ギア５１および第２従動ギア５２は個別に回転する。
【００２９】
図５に示されるように、エアフィルタ３５はフレーム６１および誘電体からなるメッシュシート６２を備える。メッシュシート６２は例えばポリエチレンテレフタラートの繊維（樹脂繊維）を格子状に組み合わせて構成される。メッシュシート６２はフレーム６１に支持される。フレーム６１はメッシュシート６２の形状を保持する機能を有する。フレーム６１は樹脂材料（例えばポリプロピレン）から成形される。フレーム６１およびメッシュシート６２は絶縁体６３を構成する。メッシュシート６２のメッシュは気流に対して交差し通気路を区画する。
【００３０】
エアフィルタ３５のフレーム６１にはラック６４が形成される。ラック６４は、フレーム６１の左右両側に配置される。ラック６４は、下ダストボックス４６に収納されるピニオン（図示されず）に噛み合う。ピニオンは第２従動ギア５２に連結される。第２従動ギア５２の回転はピニオンに伝達される。こうして第２従動ギア５２の回転に応じて、エアフィルタ３５はフィルタレール３８、３９に沿って前後に移動する。上ダストボックス４５および下ダストボックス４６に対してエアフィルタ３５は相対的に移動する。
【００３１】
図６に示されるように、フィルタ清掃ユニット４３は清掃ブラシ６６を備える。清掃ブラシ６６は上ダストボックス４５内に収納される。清掃ブラシ６６はブラシ台座６７を備える。ブラシ台座６７は第１従動ギア５１からの駆動力により水平軸６８回りに回転することができる。ブラシ毛６９はブラシ台座６７の筒面上に所定の中心角範囲にわたって配置される。ブラシ毛６９の植毛範囲はブラシ台座６７の軸方向にエアフィルタ３５を横切る広がりを有する。清掃ブラシ６６は所定の回転位置でブラシ毛６９をエアフィルタ３５に接触させ当該回転位置以外ではブラシ毛６９をエアフィルタ３５から離脱させる。ブラシ毛６９がエアフィルタ３５に接触する状態で水平軸線３２ａ、３２ｂに直交する垂直面に沿った方向にエアフィルタ３５が移動すると、エアフィルタ３５の前面に付着した塵埃はブラシ毛６９に絡め取られることができる。
【００３２】
フィルタ清掃ユニット４３はブラシ受け７１を備える。ブラシ受け７１は下ダストボックス４６内に収納される。ブラシ受け７１は受け面７２を有する。受け面７２は清掃ブラシ６６に向き合わせられる。ブラシ毛６９がエアフィルタ３５に接触する際に受け面７２はブラシ毛６９との間にエアフィルタ３５を挟み込む。その他、受け面７２にはブラシ毛が植毛されてもよい。
【００３３】
エアフィルタアセンブリ３４はイオナイザ７３を備える。イオナイザ７３は、本体２６内でエアフィルタ３５と室内熱交換器１４の間に配置されて、導電性の平滑面７５でエアフィルタ３５の背面に向き合わせられるグラウンド電極７６を有する。グラウンド電極７６の平滑面７５はフィルタレール３８を含む仮想平面に平行に広がる。したがって、平滑面７５はエアフィルタ３５の背面に等間隔に向き合わせられる。
【００３４】
イオナイザ７３は、本体２６内で吸込口３３とエアフィルタ３５の間に配置されて、エアフィルタ３５に気流を向かせる風向板７７と、風向板７７で方向づけられた気流内に点在し、グラウンド電極７６の平滑面７５に向き合わせられて電圧の印加に応じて平滑面７５に向かって放電する複数の針電極７８とを有する。放電によってイオンが生成される。ここでは、針電極７８は風向板７７に一体化される。針電極７８の先端は等間隔で平滑面７５に向き合わせられる。風向板７７はエアフィルタアセンブリ３４に組み込まれて本体２６内に収容される。
【００３５】
図７に示されるように、グラウンド電極７６は、平滑面７５に穿たれて気流の流通方向に貫通する複数の開口７９を有する。ここでは、グラウンド電極７６には、平滑面７５側から打ち抜かれたシート状のパンチングメタル（パンチングメタルシート）が用いられる。パンチングメタルシートは例えばステンレス鋼といった金属板から形成されればよい。グラウンド電極７６では単位面積当たりの開口率は例えば４０％以上６０％以下に設定されればよい。開口率が４０％を下回ると、電気的な障壁の効果は高まるものの気流の流通が妨げられる。その一方で、開口率が６０％を上回ると、気流の流通抵抗は低下するものの電気的な障壁の形成にあたって大きな電流が要求されてしまう。その他、グラウンド電極７６には、パンチングメタルシートに代えて導電性樹脂シートが用いられてもよい。導電性樹脂シートは、金属材料や炭素その他の導電材フィラーの働きで導電性を有し、自ら形状を維持する所定の剛性を備えればよい。導電性は金属めっき膜で付与されてもよい。
【００３６】
図８に示されるように、イオナイザ７３は、風向板７７および針電極７８を支持する絶縁性の枠体８１を備える。枠体８１は、例えば本体２６に固定される上ダストボックス４５に固定される。枠体８１は例えば上ダストボックス４５に着脱自在に取り付けられればよい。こうして風向板７７はエアフィルタアセンブリ３４に組み込まれて本体２６内に収容される。
【００３７】
風向板７７は、平滑面７５に向き合わせられる平坦な下流側端面８２と、下流側端面から平滑面７５に向かって突き出て頂点に向かって先細り、針電極７８として機能する複数の山形片８３を有する金属板から形成される。個々の風向板７７は送風ファン２４の回転軸４１に平行に広がる。風向板７７同士は相互に平行に並べられる。こうして複数の風向板７７はルーバーの態様を形成する。
【００３８】
個々の風向板７７は本体２６に搭載の高電圧電源８４に接続される。配線を通じて風向板７７には高電圧が供給される。高電圧の供給を受けて針電極７８から平滑面７５に向かって放電が行われる。放電によって空気中にイオンが放出される。風向板７７と高電圧電源８４との間で配線には着脱可能な電気接点（図示されず）が形成される。エアフィルタアセンブリ３４の取り付けおよび取り外しの際には電気接点の働きで配線の結合および分断が実現される。
【００３９】
（３）室内機の動作
送風ファン２４が動作すると、吸込口３３から本体２６内に気流は吸い込まれる。本体２６内では吸込口３３から吹出口２８に向かって気流が生成される。気流はエアフィルタ３５を通過して室内熱交換器１４を通過する。冷房運転時には空気は室内熱交換器１４で冷却されて吹出口２８から吹き出される。暖房運転時には空気は室内熱交換器１４で暖められて吹出口２８から吹き出される。気流がエアフィルタ３５を通過する際にメッシュシート６２のメッシュの大きさよりも大きい塵埃はメッシュを通過することができない。大きい塵埃はエアフィルタ３５の前面に捕獲される。メッシュの大きさよりも小さい塵埃などの微粒子は、後述する分極の働きで絶縁体のエアフィルタ３５に付着する。こうして室内熱交換器１４に向かって流れる気流から塵埃などは除去される。室内熱交換器１４には清浄な気流が流れ込む。吹出口２８から清浄な空気の冷気または暖気は吹き出される。
【００４０】
エアフィルタ３５の清掃が行われる際のフィルタ清掃ユニット４３の動作について説明する。ブラシ台座６７の回転動作に応じて清掃ブラシ６６のブラシ毛６９はエアフィルタ３５の前面に接触する。このとき、エアフィルタ３５の後面はブラシ受け７１の受け面７２に受け止められる。エアフィルタ３５はブラシ毛６９と受け面７２との間に挟まれる。第２従動ギア５２が駆動されると、エアフィルタ３５がフィルタレール３８、３９に沿って前後に移動する。エアフィルタ３５の移動に応じてブラシ毛６９はエアフィルタ３５の前面をなぞる。こうしてブラシ毛６９はエアフィルタ３５の前面から大きな塵埃を絡め捕る。絡め捕られた塵埃は上ダストボックス４５に回収される。エアフィルタ３５の後面では、受け面７２とエアフィルタ３５が接触することで微粒子はエアフィルタ３５から落下する。落下した微粒子は下ダストボックス４６に回収される。
【００４１】
本体２６内に流れ込んだ空気は風向板７７の働きでエアフィルタ３５に向かって方向づけられる。針電極７８からグラウンド電極７６に向かって放電が実施されると、気流中の塵埃等の微粒子は特定の極性に帯電する。気流はエアフィルタ３５を通過する。
【００４２】
針電極７８に電圧がかけられると、誘電体であるエアフィルタ３５は、針電極７８に対向する側が針電極７８の極性とは逆の極性となるように分極する。そのため、気流中の帯電微粒子（帯電した微粒子）は、帯電微粒子とは逆の極性であるエアフィルタ３５の針電極７８側に付着し易くなる。さらに、気流中の帯電微粒子はエアフィルタ３５に向かって方向づけられる。したがって、帯電微粒子はエアフィルタ３５以外の範囲に散らばらないので、針電極７８およびグラウンド電極７６の上流で本体２６内に帯電微粒子が充満することはない。本体２６内の部品や内壁面に対して汚れの付着は防止されることができる。
【００４３】
前述のように針電極７８は風向板７７に一体化される。風向板７７の配置に応じて針電極７８は確実に気流中に配置される。したがって、空気調和機１１の組み立てにあたって作業性は向上する。
【００４４】
風向板７７は、平滑面７５に向き合わせられる平坦な下流側端面８２と、下流側端面８２から平滑面７５に向かって突き出て頂点に向かって先細り、針電極７８として機能する山形片８３とを有する金属板から形成される。したがって、風向板７７は金属板から打ち抜かれて形成されることができる。山形片８３の頂点から放電は実現される。
【００４５】
針電極７８は等間隔で平滑面７５に向き合わせられる。局所的な電界集中は抑えられ、広範囲で電界は形成されることができる。
【００４６】
風向板７７は、エアフィルタ３５を保持するエアフィルタアセンブリ３４に組み込まれて本体２６内に収容される。こうして風向板７７はエアフィルタアセンブリ３４の１構成要素として取り扱われる。エアフィルタアセンブリ３４ごと本体２６に装着されたり本体２６から取り外されたりする。空気調和機１１の組み立てにあたって作業性は向上する。
【００４７】
針電極７８に高電圧電源８４から電圧が印加されると、針電極７８の先端からグラウンド電極７６の平滑面７５に向かって放電が実施される。このとき、針電極７８は平滑面７５に向き合わせられる。グラウンド電極７６が導電性の樹脂繊維を編み込むことで形成されるフィルタで構成されている場合は、繊維同士が重なった箇所に突部が形成され、針電極７８と局所的に接近してしまう。こうした局所的な接近はスパーク放電を引き起こす。グラウンド電極７６が平滑面７５を有することで、針電極７８とグラウンド電極７６との間で局所的な接近は回避される。
【００４８】
なお、以上の実施形態ではイオナイザ７３から正のイオンを放出する例が示される。こうした正のイオンに代えて負のイオンを放出するイオナイザが用いられてもよい。
【符号の説明】
【００４９】
１１  空気調和機、１４  熱交換器（室内熱交換器）、２４  ファン（送風ファン）、２６  筐体（本体）、２８  吹出口、３３  吸込口、３５  フィルタ（エアフィルタ）、７５  平滑面、７６  グラウンド電極、７７  風向板、７８  針電極、８２  下流側端面、８３  山形片。
【図１】
2017125651.tif 000003
【図２】
2017125651.tif 000004
【図３】
2017125651.tif 000005
【図４】
2017125651.tif 000006
【図５】
2017125651.tif 000007
【図６】
2017125651.tif 000008
【図７】
2017125651.tif 000009
【図８】
2017125651.tif 000010